(57)【要約】【課題】簡単な構造で、意匠性に優れるとともに、背の低い幼児が一人で手洗い、洗面等を行える踏み台付きの洗面化粧台を提供する。【解決手段】ミラーキャビネットＢと、洗面ボウル７が組み付けられ、内部を収納部６とされた洗面キャビネットＡとからなる洗面化粧台であって、上記収納部６の前面には蝶番５で上記洗面キャビネットＡの底板４に回動自在に軸支された開閉扉１が設けられ、この開閉扉１を水平状態に下方に回動したとき、上記開閉扉の前面上部に取り付けられた把手２が床面に当止するとともに、開閉扉１の裏面１１が踏み台となる踏み台付き洗面化粧台。【選択図】図４
2006192108.tif 000002
【特許請求の範囲】
【請求項１】
ミラーキャビネットと、洗面ボウルが組み付けられ内部を収納部とされた洗面キャビネットとからなる洗面化粧台であって、上記収納部の前面には蝶番で上記洗面キャビネットの底板に回動自在に軸支された開閉扉が設けられ、この開閉扉を水平状態に回動したとき、上記開閉扉の前面上部に取り付けられた把手が床面に当止するとともに、開閉扉の裏面が踏み台となる踏み台付き洗面化粧台。
【請求項２】
上記開閉扉の裏面に台部が付設された請求項１に記載の踏み台付き洗面化粧台。
【請求項３】
上記開閉扉の裏面に椅子部が付設された請求項１に記載の踏み台付き洗面化粧台。
【請求項４】
上記把手の張り出し長さが洗面キャビネットの蹴込み高さと略同等とされた請求項１に記載の踏み台付き洗面化粧台。
【発明の詳細な説明】
【技術分野】
【０００１】
本発明は、洗面化粧台に関する。さらに詳しくは、幼児が一人で手洗い、洗面等ができるように踏み台が取り付けられた洗面化粧台に関する。
【背景技術】
【０００２】
従来、幼児が一人で手洗い、洗面等を行えるように踏み台が取り付けられた洗面化粧台は公知であり、例えば、下記特許文献が知られている。
【特許文献１】実開平５−７６３８５号公報（第１−２頁、第１図、第２図）
【発明の開示】
【発明が解決しようとする課題】
【０００３】
しかしながら、上記特許文献記載の技術は、その第１図から明らかなように、洗面キャビネットの蹴込み部を利用したものであり、蹴込みスペースに新たに収納装置を設けなければならず、構造が複雑になり、製造コストも高くなるという問題がある。本発明は、このような問題を解決して、簡単な構造で、意匠性に優れるとともに、背の低い幼児が一人で手洗い、洗面等を行うことができる、踏み台付きの洗面化粧台を提供することをその課題とする。
【課題を解決するための手段】
【０００４】
上記課題を解決するために、本発明においては、つぎのような技術的手段を講じている。すなわち、ミラーキャビネットと、洗面ボウルが組み付けられ内部を収納部とされた洗面キャビネットとからなる洗面化粧台であって、上記収納部の前面には蝶番で上記洗面キャビネットの底板に回動自在に軸支された開閉扉が設けられ、この開閉扉を水平状態に回動したとき、上記開閉扉の前面上部に取り付けられた把手が床面に当止するとともに、開閉扉の裏面が踏み台となる踏み台付き洗面化粧台が提供される。
【０００５】
上記開閉扉の裏面には台部が付設されることが好ましい。この台部は例えば、２段とする等、階段状としてもよい。また、上記開閉扉の裏面に椅子部が付設されることが好ましい。上記開閉扉を下方に回動したとき、開閉扉の裏面に、例えば、丸椅子が立設された状態で現れるようにしてもよい。また、上記把手の張り出し長さが洗面キャビネットの蹴込み高さと略同等とされることが好ましい。
【発明の効果】
【０００６】
請求項１に記載の発明は上記のとおりであり、洗面キャビネットの底板に回動自在に軸支された開閉扉を水平状態に回動したとき、上記開閉扉の前面上部に取り付けられた把手が床面に当止するとともに、開閉扉の裏面が踏み台となり、背の低い幼児が一人で手洗い、洗面等を行うことができる。踏み台として使用しないときは元に戻し、上記収納部の前面を覆う開閉扉として機能するため、外観上は公知の洗面キャビネットと略同等であり、簡単な構造で意匠性に優れた踏み台付き洗面化粧台を提供することができる。
【０００７】
上記開閉扉の裏面が踏み台とされ、さらに台部が付設されているため、幼児の背の高さに応じて、踏み台あるいは台部の上に載り、適当な位置で手洗い、洗面等を行うことができる。この台部を階段状とすることにより、さらに好適な位置を選ぶことができる。また、上記開閉扉の裏面に椅子部が付設されてもよいため、幼児のみならず、高齢者も座って手洗い、洗面等を楽に行うことができる。
【０００８】
上記把手の張り出し長さが洗面キャビネットの蹴込み高さと略同等とされているため、開閉扉を下方に回動したとき、洗面キャビネットの底板と面一となり、幼児が載ったとき、開閉扉の裏面、すなわち踏み台が安定して支持される。
【発明を実施するための最良の形態】
【０００９】
以下、本発明の実施形態について図面を参照して、詳細に説明する。図１は、本発明にかかる踏み台付き洗面化粧台を示す斜視図であり、図２は図１におけるＸ−Ｘ線に沿う側断面図である。図１、図２からよくわかるように、上記踏み台付き洗面化粧台はミラーキャビネットＢと、洗面ボウル７が組み付けられるとともに、内部を収納部６とされた洗面キャビネットＡとからなり、上記収納部６の前面には、蝶番５で洗面キャビネットＡの底板４に回動自在に軸支された開閉扉１が設けられている。
【００１０】
図２からよくわかるように、上記開閉扉１の上部には把手２が設けられ、把手２の握り手部２１は、洗面キャビネットＡの蹴込みの高さと略同等に張り出されている。この開閉扉１は踏み台を兼ねており、同図の矢印にしたがって把手２を手前に引いて回動させ、握り手部２１を床面Ｆ．Ｌ．に当止させることにより、裏面１１を踏み台とすることができる。踏み台として使用しないときは元に戻し、上記収納部６の前面を覆う開閉扉１として機能する。
【００１１】
図３は、上記開閉扉１の裏面１１に台部３を付設した状態を示す側断面図である。図３からよくわかるように、踏み台の上にさらに台部３を設けることにより、背の低い幼児でも一人で手洗い、洗面等を行うことができる。図３には、台部３を１段で設けた状態を示すが、この台部３を階段状とし、例えば、２段に形成してもよい。図４は、図３に示した台部３の上に幼児が載って一人で手洗い、洗面等を行う状態を示す側面図である。
【００１２】
なお、上記は台部３をそのまま、あるいは階段状として使用する場合について述べたが、階段状のみならず、開閉扉１を水平状態に回動させたとき、例えば、丸椅子が現れるように配設してもよい。また、把手２は踏み台の支持脚としても機能するため補助的に更に設けて２つとし、幼児が載ったとき、より安定なものとなるようにしてもよい。このように本発明は種々設計変更可能であり、本発明の特許請求の範囲を逸脱しない限り、いずれも本発明の技術的範囲に含まれる。
【図面の簡単な説明】
【００１３】
【図１】本発明にかかる踏み台付き洗面化粧台を示す斜視図である。
【図２】図１におけるＸ−Ｘ線に沿う側断面図である。
【図３】図２における開閉扉の裏面に台部を付設した状態を示す側断面図である。
【図４】本発明の踏み台付き洗面化粧台の使用状態を示す側面図である。
【符号の説明】
【００１４】
Ａ          本発明にかかる洗面キャビネット
Ｂ          ミラーキャビネット
１          開閉扉
１１        開閉扉の裏面
２          把手
２１        握り手部
３          台部
４          洗面キャビネット底板
５          蝶番
６          収納部
７          洗面ボウル
【図１】
2006192108.tif 000003
【図２】
2006192108.tif 000004
【図３】
2006192108.tif 000005
【図４】
2006192108.tif 000006